(57)【要約】  【課題】      支持脚１８のバウンドを防止できるとともに、十分な防振性を得ることのできる防音二重床構造１０を提供する。  【解決手段】  防音二重床構造１０は、床下地面１２から上方へ所定間隔を隔てて配設された床下地パネル１４と、床下地面１２上で床下地パネル１４を支持する複数の支持脚１８とを備えている。支持脚１８は、床下地パネル１４を受ける床受部材２２と、床受部材２２に上端が接合された支持部材２４と、支持部材２４の下端に接合された防振ゴム２６とを有しており、防振ゴム２６が弾性を有する固定剤２０を介して床下地面１２に固定されている。【選択図】      図１
2007056467.tif 000002
【特許請求の範囲】
【請求項１】
床下地面から上方へ所定間隔を隔てて配設された床下地パネルと、前記床下地面上で前記床下地パネルを支持する複数の支持脚とを備える、防音二重床構造であって、
前記支持脚は、前記床下地パネルを受ける床受部材と、前記床受部材に上端が接合された支持部材と、前記支持部材の下端に接合された防振ゴムとを有しており、前記防振ゴムが弾性を有する固定剤を介して前記床下地面に固定されている、防音二重床構造。
【発明の詳細な説明】
【技術分野】
【０００１】
本発明は、コンクリートスラブ等の床下地面上に複数の支持脚を介して床下地パネルを配設した防音二重床構造に関する。
【背景技術】
【０００２】
防音二重床構造では、フロ−リング等の床仕上げ材を敷設するための床下地パネルがコンクリートスラブ等の床下地面から上方へ所定間隔を隔てて配設されていることから、床仕上げ材に加えられた衝撃が階下に直接伝わり難いという利点がある。しかし、人が飛び跳ねたりして、床仕上げ材に重量衝撃が加えられた場合には、床下地パネルを支持する支持脚が床下地面でバウンドし、このバウンドによる振動が階下に直接伝わるおそれがあった。
【０００３】
そこで、防音二重床構造においては、重量衝撃が加えられた場合の防音対策が重要となっており、特許文献１に記載された防音二重床構造では、床下地面上に支持脚を介して床下地パネルを配設した後、支持脚の下端部を流動性に優れた接着剤で床下地面に固定するようにしていた。
【特許文献１】特開２００２−８１１９５号公報
【発明の開示】
【発明が解決しようとする課題】
【０００４】
従来の防音二重床構造（特許文献１）では、流動性に優れた接着剤によって支持脚を床下地面に硬く固定していたので、この固定部に十分な弾性を持たせるのが困難であり、支持脚のバウンドを防止できるものの、十分な防振性を得ることができなかった。
【０００５】
それゆえに、この発明の課題は、支持脚のバウンドを防止できるとともに、十分な防振性を得ることのできる、防音二重床構造を提供することである。
【課題を解決するための手段】
【０００６】
請求項１に記載した発明は、「床下地面１２から上方へ所定間隔を隔てて配設された床下地パネル１４と、前記床下地面１２上で前記床下地パネル１４を支持する複数の支持脚１８とを備える、防音二重床構造１０であって、前記支持脚１８は、前記床下地パネル１４を受ける床受部材２２と、前記床受部材２２に上端が接合された支持部材２４と、前記支持部材２４の下端に接合された防振ゴム２６とを有しており、前記防振ゴム２６が弾性を有する固定剤２０を介して前記床下地面１２に固定されている、防音二重床構造１０」である。
【０００７】
この発明によれば、支持脚１８の下端部を構成する防振ゴム２６を、弾性を有する固定剤２０を介して床下地面１２に固定しているので、床下地パネル１４に重量衝撃が加えられた場合でも支持脚１８がバウンドすることはない。また、弾性を有する固定剤２０を用いて支持脚１８を床下地面１２に固定しているので、この固定部に弾性を持たせることができる。なお、「固定剤」とは、接着剤と粘着剤とを包含する概念を意味するものとする。
【発明の効果】
【０００８】
本発明によれば、重量衝撃による支持脚１８のバウンドを抑制でき、このバウンドによる振動が階下に直接伝わるのを防止できる。また、弾性を有する固定剤（接着剤または粘着剤）２０を用いているので、支持脚１８を床下地面１２に固定する固定部に十分な弾性を持たせることができ、支持脚１８のバウンドを抑制できることと相俟って、防振性を飛躍的に高めることができる。
【発明を実施するための最良の形態】
【０００９】
図１は、本発明が適用された防音二重床構造１０を示す断面図である。防音二重床構造１０（図１）は、居住空間の床に加えられた振動が階下へ直接伝わるのを防止するものであり、コンクリートスラブ等の床下地面１２から上方へ所定間隔を隔てて配設された床下地パネル１４と、床下地パネル１４の上面に敷設された床仕上げ材１６と、床下地パネル１４を支持する複数の支持脚１８と、支持脚１８の下端部を床下地面１２に固定する固定剤２０（図１）とによって構成されている。
【００１０】
床下地パネル１４は、床仕上げ材１６を敷設するための下地となるものであり、合板、パーティクルボード、単板張りパーティクルボード、木質セメント板またはＭＤＦ等によって構成されている。床仕上げ材１６は、居住空間における床の表面を構成するものであり、木質フロ−リングまたはカーペット等によって構成されている。
【００１１】
なお、本実施例では、床下地パネル１４と床仕上げ材１６とによって構成された二層の積層体を支持脚１８で支持するようにしているが、床下地パネル１４と床仕上げ材１６との間に配設された制振マット等を含む三層以上の積層体を支持脚１８で支持するようにしてもよい。
【００１２】
支持脚１８は、床下地面１２上で床下地パネル１４を支持するとともに、床下地パネル１４の高さを微調整するものであり、図１〜図３に示すように、床下地パネル１４を受ける床受部材２２と、床受部材２２に上端が接合された棒状の支持部材２４と、支持部材２４の下端に接合された防振ゴム２６とによって構成されている。
【００１３】
床受部材２２は、ＰＥ（ポリエチレン）、ＰＰ（ポリプロピレン）またはＡＢＳ等の合成樹脂からなる四角形の板状の蓋受本体２８を有しており、蓋受本体２８の下面中央部には、円筒状の接合部３０（図２）が形成されており、接合部３０には、内周面に雌ネジ３２ａが形成された筒状の雌ネジ部材３２が配設されている。また、接合部３０の周囲には、複数（この実施例では８個）の補強リブ３４が放射状に延びて形成されている。さらに、蓋受本体２８の上面には、床下地パネル１４に床受部材２２を固定するための粘着層３６が形成されている。なお、蓋受本体２８の形状は、特に限定されるものではなく、本実施例のような四角形の他、三角形、六角形または円形等であってもよい。
【００１４】
支持部材２４は、外周面に雄ネジ３８ａが形成された棒状のボルト部３８を有しており、ボルト部３８の上端面には、ドライバーを係止させるための十字溝４０（図３）が形成されている。また、ボルト部３８の下端部には、円盤状の係止部４２が形成されている。そして、ボルト部３８の雄ネジ３８ａが床受部材２２を構成する雌ネジ部材３２の雌ネジ３２ａに螺合されている。
【００１５】
防振ゴム２６は、弾性を有するゴムによって形成された有底筒状の防振ゴム本体４４を有しており、防振ゴム本体４４の内面には、複数の係止突起４６（図１）が突設されている。また、防振ゴム本体４４の下面には、複数（この実施例では５個）の突起４８が突設されている。そして、防振ゴム本体４４の内部に支持部材２４の下端部が挿入され、防振ゴム本体４４の係止突起４６に、支持部材２４の係止部４２が係止されている。
【００１６】
固定剤２０（図１）は、防振ゴム２６と床下地面１２との接合面に付着されることによって、防振ゴム２６を床下地面１２に固定する機能と、振動を吸収する機能とを発揮するものであり、振動吸収機能を有効に発揮するために弾性を有している。この固定剤２０としては、ゴム系、シリコーン系またはポリウレタン系等の弾性を有する接着剤または粘着剤が用いられ得るが、本実施例では、ブチルゴムテープが用いられる。なお、接合面に固定剤２０を付着する際には、両面テープ（ブチルゴム両面テープ等）の形で付着するようにしてもよいし、直接塗布するようにしてもよい。
【００１７】
防音二重床構造１０を組み立てる際には、まず、床下地パネル１４の下面に支持脚１８を、粘着層３６およびビス５０（図１）を用いて固定する。続いて、支持部材２４において、雌ネジ３２ａに対する雄ネジ３８ａのねじ込み量を調整することによって、床下地パネル１４の高さを調整する。そして、床下地面１２に対して防振ゴム２６を、固定剤２０を介して接合する。その後、床下地パネル１４の上面に床仕上げ材１６を敷設する。
【００１８】
施工後、床仕上げ材１６に衝撃が加えられると、この衝撃により発生した振動は、床仕上げ材１６から床下地パネル１４、支持脚１８および固定剤２０を通して床下地面１２へ伝播される。この過程において、振動が大幅に減衰されるので、階下における騒音の発生を抑制できる。特に、床下地面１２と防振ゴム２６との間には、弾性を有する固定剤（接着剤または粘着剤）２０が配設されているので、固定部に弾性を持たせることが可能であり、支持脚１８のバウンドを防止できるとともに、十分な防振性を得ることができる。
【００１９】
なお、発明者は、本発明に係る防音二重床構造の実用性を実験により確認した。
［実験］
１．実験方法
以下の実施例１〜３と比較例とについて、「JIS A 1418-1,2」に準じて、「重量床衝撃音レベル低減量（ｄＢ）」と「軽量床衝撃音レベル低減量（ｄＢ）」とを測定した。加えられる衝撃音の周波数は、表１および表２に示した７種類とし、測定点の数は、各実施例および比較例について８点とした。そして、各実施例および比較例について衝撃音の各周波数に対応する測定値（８点の測定値の平均値）を取得した。
【００２０】
実施例１…図４に示すように、図１実施例の防音二重床構造１０を用いて床５２を構成し、この床５２を「実施例１」とした。
【００２１】
実施例２…図５に示すように、実施例１に対して床下地面１２の半分に吸音材（グラスウール）５４を配設し、この床５６を「実施例２」とした。
【００２２】
実施例３…図６に示すように、実施例１に対して床下地面１２の全体に吸音材（グラスウール）５４を配設し、この床５８を「実施例３」とした。
【００２３】
比較例  …床下地面１２に防振ゴム２６を固定していない点を除いて実施例１と同様に構成し、この床を「比較例」とした。
２．実験結果
（１）「重量床衝撃音レベル低減量（ｄＢ）」の測定結果は、表１および図７のグラフに示した通りであり、「軽量床衝撃音レベル低減量（ｄＢ）」の測定結果は、表２および図８のグラフに示した通りである。なお、「重量床衝撃音レベル低減量（ｄＢ）」については、防音二重床構造を施工する前の裸スラブと同等の性能（低減量＝０）が最高レベルである。
【００２４】
【表１】
2007056467.tif 000003
【００２５】
【表２】
2007056467.tif 000004
【００２６】
（２）表１および図７のグラフより、比較例では、重量床衝撃音レベル低減量が「−５」以上を完全にクリアしていないが、実施例１〜３では、「−５」以上を完全にクリアしていることが分かる。また、表２および図８のグラフより、実施例1〜３および比較例では、床仕上げ構造区分の区分３をクリアしていることが分かる。
【００２７】
なお、「床仕上げ構造区分」は、日本住宅性能表示基準において、軽量床衝撃音レベル低減量の評価基準として規定されたものであり、区分１〜５のいずれに該当するかを判定することによって、防音効果を評価するものである。そして、区分１〜３のいずれかに該当していれば、「通常のマンションでの防音レベルを満足している。」と評価されることになる。
【００２８】
以上より、本発明に係る防音二重床構造によれば、「重量床衝撃音レベル低減量（ｄＢ）」および「軽量床衝撃音レベル低減量（ｄＢ）」のいずれにおいても、通常のマンションでの防音レベルを満足することができる。
【図面の簡単な説明】
【００２９】
【図１】防音二重床構造を示す断面図
【図２】支持脚を示す分解斜視図
【図３】支持脚を示す平面図
【図４】実験に用いた実施例１を示す平面図および正面図
【図５】実験に用いた実施例２を示す正面図
【図６】実験に用いた実施例３を示す正面図
【図７】重量床衝撃音レベル低減特性を示すグラフ
【図８】軽量床衝撃音レベル低減特性を示すグラフ
【符号の説明】
【００３０】
１０…  防音二重床構造
１２…  床下地面
１４…  床下地パネル
１６…  床仕上げ材
１８…  支持脚7
２０…  固定剤（接着剤または粘着剤）
２２…  床受部材
２４…  支持部材
２６…  防振ゴム
５２，５６，５８…  床
５４…  吸音材（グラスウール）
【図１】
2007056467.tif 000005
【図２】
2007056467.tif 000006
【図３】
2007056467.tif 000007
【図４】
2007056467.tif 000008
【図５】
2007056467.tif 000009
【図６】
2007056467.tif 000010
【図７】
2007056467.tif 000011
【図８】
2007056467.tif 000012